(57)【要約】【課題】スピーカへの防水、防湿を高め、子供の好奇心や悪戯等で損傷を受ける危険性のない、小型のスピーカでも十分な可聴か可能な洗濯機を提供する。【解決手段】制御装置１３から音声信号を入力されるスピーカ２５と、洗濯機外枠１の上部後方に構成した後方パネル部１０と、断面略Ｌ字状のケース３０と、スピーカ取付ケース２７とを備え、スピーカ取付ケース２７に取り付けたスピーカ２５の振動板（コーン紙）２６は、断面略Ｌ字状のケース３０の上部開口３１より下方を向け、かつ断面略Ｌ字状のケースの側面開口は、後部カバーに形成した開口１２より洗濯機の後方向に指向させて、洗濯機後方に放音をさせた事により、音声の放音穴からの水の浸入の危険性が減少し、振動板（コーン紙）２６が直接外方に向かないため、外部からの損傷の恐れが無くし、洗濯機の後方の壁３６での音の反射により、小型のスピーカでも洗濯機前方での可聴音圧は高くできる。【選択図】図４
2008079763.tif 000002
【特許請求の範囲】
【請求項１】
洗濯、すすぎ、脱水等の行程を制御する制御装置と、前記制御装置から音声信号を入力される音声発生のスピーカと、洗濯機外枠と、前記外枠上方を覆う上カバーと、前記上カバーの後部に構成した後方パネル部と、前記後方パネル部を後方から覆う後部カバーとを備え、前記後方パネル部の内部に、両端に上部開口と側面開口とを有する断面略Ｌ字状のケースと、前記断面略Ｌ字状のケースの上部開口に覆設した音声発生のスピーカ取付ケースを固着し、音声発生のスピーカは振動板（コーン紙）を下方に向けて前記スピーカ取付ケースに取り付けると共に、断面略Ｌ字状のケースの側面開口は、前記後部カバーに形成した開口より洗濯機後方に指向させることにより、洗濯機後方に放音をさせた洗濯機。
【請求項２】
断面略Ｌ字状のケースは、側面開口の周縁に一体形成したフランジを、後部カバーに気密的に密着させるようにした請求項１記載の洗濯機。
【発明の詳細な説明】
【技術分野】
【０００１】
本発明は、音声での報知を行う洗濯機に関する。
【背景技術】
【０００２】
従来より操作の案内や警告を音声で行う洗濯機が提案されており、この種の洗濯機の従来例としては、洗濯機外枠の上部に覆うように構成した上カバーと、前記上カバーの衣類投入口の側面を覆うように取り付けたサイドパネルによって構成されるサイドパネルボックス内部にスピーカを設置している（例えば、特許文献１参照）。
【０００３】
図５は、特許文献１に記載された従来の洗濯機を示す一部切り欠き斜視図であり、図６は、同洗濯機のサイドパネルを分解してスピーカ取付状態を示す上カバーの斜視図であり、図７は、同洗濯機のサイドパネル部の拡大斜視図であり、図８は、同洗濯機のスピーカと共鳴箱の分解斜視図であり、以下その構成につき説明する。
【０００４】
図５において、洗濯機外枠１の上方には開閉自在に配した蓋２０を有する上カバー９を載置し、この上カバー９の前面には操作部１１を配し、左側のサイドパネルボックス４９内部に、スピーカを内蔵した共鳴箱４７を固着している。
【０００５】
共鳴箱４７は、図８の分解斜視図に示すように、前面にスピーカ４６の振動板に対向する放音穴４７ａを有し、後面を開放した前側箱４７ｂと、前面を開放し、後面の内側にスピーカ押さえ４７ｃを起立させた後側箱４７ｄによって構成する。
【０００６】
音声を発するスピーカ４６は、図８に示したように、共鳴箱４７に内蔵した状態で、図６に示すように上カバー９に形成された衣類投入口９ａの側部を覆うように取り付けるサイドパネル４８の内側に形成されるサイドパネルボックス４９内部に設置する。
【０００７】
上記のように、スピーカ４６を内蔵した共鳴箱４７は、サイドパネルボックス４９内に納まるように上カバー９上にとりつける。この取付は、共鳴箱４７に形成した取付け鍔４７ｅを上カバー９に形成した取付座にねじ止めすることにより行う。
【０００８】
一方、サイドパネル４８の垂直な側面には、図７に示すように、排水ホース等を収納するときにフックを引掛けるフック係止穴４８ａを開口させている。スピーカ４６からの音声が機外に放出されるのを大きくする為に、共鳴箱４７の放音穴４７ａは出来るだけ前記フック係止穴４８ａに近くに位置するようにしている。
【０００９】
スピーカ４６の防湿、防水は共鳴箱４７にてなされるとともに、発生した音声は、サイドパネル４８に形成したフック係止穴４８ａから効率よく機外に放音するという構成である。
【００１０】
なお、上記フック係止穴４８ａを形成しない別の従来例にあっては、機外への放音が少なくなるので、スピーカ４６の仕様等を大型化する事により音声の大きいものを使う事もある。
【特許文献１】特開２００２−１１２７４号公報
【発明の開示】
【発明が解決しようとする課題】
【００１１】
しかしながら、このような従来の洗濯機の音声報知構成では、スピーカ４６の発生した音声を効率良く機外に報知する為には、スピーカ４６を内蔵した共鳴箱４７を構成する前側箱４７ｂの放音穴４７ａと、サイドパネル４８に形成した音声放出用のフック係止穴４８ａとを出来るだけ直線的に配置したり、近接させたり、またフック係止穴４８ａの形状を大きくする等が必要であった。しかしこれは、例えば洗濯機の外観を掃除する際に濡れたタオル等でふく場合には、前記フック係止穴４８ａより内方に水分が浸入した場合には、直線的な配置や、近接した配置をすればするほど、電気部品であるスピーカへの防水、防湿に悪影響を与える不具合があり、信頼性は十分な構成ではなかった。
【００１２】
また、かかるフック係止穴のような小孔には、子供が好奇心や悪戯等で指を差し込んだり小棒を差し込んだりすることがあり、放音穴４７ａ部よりスピーカ４６を損傷する事がある。更に、導電性のある小棒等で充電部材であるスピーカ４６に触れる事は感電事故等の危険性もある。
【００１３】
近年の洗濯機には、子供が好奇心より、運転中の洗濯機の操作部１１や洗濯物出し入れの蓋２０の部分に触れて誤動作をすることが無い様に、チャイルドロック構成されているのが一般的である。
【００１４】
しかし、洗濯機の操作部１１や蓋２０には子供が悪戯で操作してもチャイルドロック操作にて誤動作防止は出来ても、かかるフック係止穴４８ａのような小孔からの悪戯には上記チャイルドロックは困難であった。
【００１５】
一方、従来例でも記述したごとく、フック係止穴４８ａの無い仕様にあっては、水分の浸入や上記子供の悪戯等による不具合は解消されても、スピーカの音声が洗濯機外方に伝達され難く、スピーカを大型化しなければならず、また機内のサイドパネルボックス４９内部で音声が篭ってしまい明瞭な聞き取りが困難なものであった。
【００１６】
本発明は、上記従来の課題を解決するもので、スピーカへの防水、防湿を高め、子供の好奇心や悪戯等で損傷を受ける危険性が解消され、小型のスピーカでも十分な可聴か可能な洗濯機を提供する事を目的とする。
【課題を解決するための手段】
【００１７】
前記従来の課題を解決するために、本発明の洗濯機の音声報知構成は、制御装置から音声信号を入力される音声発生のスピーカを、洗濯機外枠の上部後方に構成した後方パネル部の内部に配し、両端に上部開口と側面開口とを有する断面略Ｌ字状のケースの上部開口に、下方に向けて音声発生のスピーカの振動板（コーン紙）を配し、断面略Ｌ字状のケースの側面開口は、前記後部カバーに形成した開口より洗濯機の後方向に指向させて、洗濯機後方に放音をさせたものである。
【００１８】
これによって、音声の放音穴からの水の浸入の危険性が減少し、音声発生の振動板（コーン紙）が直接外方に向く構成ではないため、外部からの損傷の恐れが無くなる。
【００１９】
また、洗濯機の設置状況から洗濯機の後方の家屋壁面での音の反射により、小型のスピーカでも洗濯機前方での可聴音圧は高くできる。
【発明の効果】
【００２０】
本発明の洗濯機の音声報知構成によれば、電気部品であるスピーカの防湿、防水に優れ、子供等の悪戯による不具合の発生を防止でき、小型のスピーカを使用して小さい音声電力で大きい音声報知が出来る。
【発明を実施するための最良の形態】
【００２１】
第１の発明は、洗濯、すすぎ、脱水等の行程を制御する制御装置と、前記制御装置から音声信号を入力される音声発生のスピーカと、洗濯機外枠と、前記外枠上方を覆う上カバーと、前記上カバーの後部に構成した後方パネル部と、前記後方パネル部を後方から覆う後部カバーとを備え、前記後方パネル部の内部に、両端に上部開口と側面開口とを有する断面略Ｌ字状のケースと、前記断面略Ｌ字状のケースの上部開口に覆設した音声発生のスピーカ取付ケースを固着し、音声発生のスピーカは振動板（コーン紙）を下方に向けて前記スピーカ取付ケースに取り付けると共に、断面略Ｌ字状のケースの側面開口は、前記後部カバーに形成した開口より洗濯機後方に指向させることにより、洗濯機後方に放音をさせるので、音声の放音穴からの水の浸入の危険性が減少し、音声発生の振動板（コーン紙）が直接外方に向かないため、外部からの損傷の恐れが無くなる。
【００２２】
また、洗濯機の設置状況から洗濯機の後方の家屋壁面での音の反射により、小型のスピーカでも洗濯機前方での報知音圧は高くできる。
【００２３】
第２の発明は、特に第１の発明の断面略Ｌ字状のケースを、側面開口の周縁に一体形成したフランジを、後部カバーに気密的に密着させるようにしたことにより、断面略Ｌ字状のケース周辺からの発した音が、音の伝達経路が異なる事で、後部カバーより後方に位相をずらせて洩れることを防止するので、断面略Ｌ字状のケースの内部を通過した音と位相がずれて干渉により消音あるいは減音をする、という事が発生しない。
【００２４】
以下、本発明の実施の形態について、図面を参照しながら説明する。従来例と同じ構成のものは同一符号を付して詳細な説明は省略する。なお、この実施の形態によって本発明が限定されるものではない。
【００２５】
（実施の形態１）
図１は本発明の第１の実施の形態における洗濯機の外観斜視図であり、第２図は、同洗濯機の後方からの部分外観斜視図であり、図３は、同洗濯機の制御回路のブロック図であり、第４図は、同洗濯機のスピーカ取付状態を示す部分断面図である。
【００２６】
図１の外観斜視図において、洗濯機外枠１の上方には上カバー９を載置するとともに前方に開閉自在に蓋２０を配する。洗濯機外枠１の前面上方には、洗濯機の操作並びに表示を行うパネル２を配し、上カバー９の後部には洗濯水を供給する給水ホース３を配管し、後方の家屋の壁３６等に設置された水道給水蛇口３７に接続する。
【００２７】
使用者は、蓋２０の開閉により衣類を洗濯機の内部から出し入れすると共に、パネル２により、制御装置への運転信号の入力や、運転状況や設定状況を目視する。このとき、音声により案内や注意等が報知されるので、誤操作も少なく使い勝手の優れた構成となる。
【００２８】
図２の後方からの部分外観斜視図に示すように、上カバー９の後方に構成した後方パネル部１０の内部に音声発生のスピーカを配し、その音声を、後部カバー１１に形成した開口１２より後方に放音させるものである。
【００２９】
図３の制御回路のブロック図に示すように、制御装置１３は、メモリや入出力回路などの周辺回路を組み込んだマイコン１４を主体に構成し、入力スイッチ１５ａ等の入力手段１５からの入力を検知し、洗濯、すすぎ、脱水等の一連の行程を制御する負荷制御手段１６に伝達するとともに、表示手段１７に入力された状態や、行程進行状態等を表示する。
【００３０】
負荷制御手段１６は、前記制御装置１３からの信号により、モータ１８ａ等の駆動手段１８の給電制御をする。
【００３１】
音声報知手段１９は、制御装置１３のマイコン１４に予め記憶させた音声ＲＯＭ２１の音声データを読み出し、Ｄ／Ａ変換２２によりアナログ信号として取り出し、ローパスフィルタ２３にて波形を整形した後、アンプ（増幅器）２４からの電気信号をスピーカ２５にて音波に変換するものである。
【００３２】
なお、音声報知の内容は、入力手段１５からの情報により、行程のガイド、操作の誘導、異常報知などを行い、使用者の利便性を高めるものである。
【００３３】
図４の部分断面図により、スピーカ２５の取付構成を以下説明する。
【００３４】
断面略コ字状のスピーカ取付ケース２７は、コ字の開放部分を下方に向けて配し、前記開放部分に、スピーカ２５をその振動板（コーン紙）２６を下方に向けて取り付ける。
【００３５】
スピーカ取付ケース２７は、例えばプラスチック成型品で構成し周縁部に一体形成したＬ字係止片２９にスピーカ２５の外周部を係着し、略１８０度対向位置に形成した弾性を有するＬ型突起２８の弾性を利用してスピーカ２５の他端外周部を係止する。
【００３６】
スピーカ２５を係着したスピーカ取付ケース２７は、上部開口３１と側面開口３２とを有する断面略Ｌ字状のケース３０の、前記上部開口３１に、スピーカ２５の振動板（コーン紙）２６が下方向に指向するように配して、ねじ（図示せず）等で固定する。
【００３７】
よって、スピーカ２５は略水平に保持されるので、振動板（コーン紙）２６は、断面略Ｌ字状のケース３０の側面開口３２とは角度を略９０度傾斜した構成となる。
【００３８】
スピーカ２５を係着したスピーカ取付ケース２７を組み込んだ断面略Ｌ字状のケース３０は、洗濯機の外枠１上方に載置された上カバー９の後方に構成した後方パネル部１０の内部に、放音穴となる側面開口３２が洗濯機の後方を指向するように配置する。
【００３９】
洗濯機外枠１の後方は、家屋の壁３６に近接するように設置されることが多いので、前記側面開口３２もまた、後方の壁３６に指向しかつ近接する。
【００４０】
断面略Ｌ字状のケース３０の、側面開口３２は略円筒形状に形成し、後部カバー１１の開口１２よりその端部３２ａを若干突出せしめ、後部カバー１１の内方の周囲にはフランジ３３を一体形成し、後部カバー１１の内面に気密的に密着させ、取り付けねじ３４にて後部カバー１１に固着する。
【００４１】
また、断面略Ｌ字状のケース３０の側面開口３２より内方には、格子状のフィルター部３５を一体形成し、図４で右方の開口より異物の侵入を防止する。
【００４２】
以上のように構成された洗濯機について、以下その動作、作用を説明する。
【００４３】
スピーカ２５の振動板（コーン紙）２６から発した音声は、図４にて示す矢印Ａの経路のように断面略Ｌ字状のケース３０の内部に沿って機外に伝達される。さらに家庭用洗濯機は、設置した部屋の壁３６に後面を近接して設置される事が一般的になされることが多いので、矢印Ａの経路方向に沿って伝達された音声は、後方の壁３６に反射され矢印Ｂの経路のように洗濯機前方に伝達する。従って、小型のスピーカであっても、使用者には可聴が十分な音圧となる。
【００４４】
また、スピーカ２５の設置は、断面略Ｌ字状のケース３０の側面開口３２より上方で、かつ振動板（コーン紙）２６は、側面開口３２とは９０度の傾斜を有して上方に配置しているので、側面開口３２より万一水の浸入等があっても、スピーカ２５への侵入の危険性はきわめて少ない構成である。
【００４５】
また、スピーカ２５から発した音は、全てが断面略Ｌ字状のケース３０の内部を通過するものではなく、スピーカ取付ケース２７と断面略Ｌ字状のケース３０との微妙な隙間から洩れ、矢印Ｃの経路のように別の経路からも、後部カバー１１の開口１２部から外方に洩れようとする。
【００４６】
矢印ＡとＣの経路のように、伝達距離が異なる経路を通過してきた音は位相がずれており、洗濯機後方で音が合成した際、波長が干渉し音の音圧レベルを著しく低下させることがある。しかし、断面略Ｌ字状のケース３０のフランジ３３を、後部カバー１１の内面に気密的に密着させているので、矢印Ｃの経路を経てきた位相がずれた音は、後部カバー１１の開口１２とフランジ３３との隙間より外方に伝達する事はなく、音圧レベルの低下の恐れはない。
【００４７】
また、放音穴としての側面開口３２は、洗濯機の後方に位置しているので、家屋の壁３６に添って設置するという確率の高い洗濯機の設置状況から、子供等が指を差し込んだり小棒を差し込んだりする悪戯の危険性は極めて少ない構成である。
【００４８】
以上のように構成された本実施の形態においては、音声発生のスピーカを、洗濯機外枠の上部後方の後方パネル部の内部に配し、両端に上部開口と側面開口とを有する断面略Ｌ字状のケースの上部開口に、下方に向けて音声発生のスピーカの振動板（コーン紙）を配し、断面略Ｌ字状のケースの側面開口は、洗濯機の後方向に指向させて、洗濯機後方に放音をさせた事により、音声の放音穴からの水の浸入の危険性が減少し、スピーカの振動板（コーン紙）が直接外方に向かないため、外部からのスピーカの損傷の危険性を解消する事ができる。
【００４９】
また、洗濯機の設置状況から洗濯機の後方の家屋壁面での音の反射により、小型のスピーカでも洗濯機前方での可聴音圧を高くする事ができる。
【産業上の利用可能性】
【００５０】
以上のように、本発明にかかる洗濯機は、スピーカを後方に配置することにより、外部からの水や異物の浸入を防止することが可能で、音声報知を行う家庭用の機器にも有用である。
【図面の簡単な説明】
【００５１】
【図１】本発明の実施の形態１における洗濯機の外観斜視図
【図２】同洗濯機の後方からの部分外観斜視図
【図３】同洗濯機の制御回路のブロック図
【図４】同洗濯機のスピーカ取付状態を示す部分断面図
【図５】従来の洗濯機の一部切り欠き斜視図
【図６】従来の洗濯機のスピーカ取付状態を示す上カバーの斜視図
【図７】従来の洗濯機のサイドパネル部の拡大斜視図
【図８】従来の洗濯機のスピーカと共鳴箱の分解斜視図
【符号の説明】
【００５２】
１    洗濯機外枠
９    上カバー
１０  後方パネル部
１１  後部カバー
１２  開口
１３  制御装置
２５  スピーカ
２６  振動板（コーン紙）
２７  スピーカ取付ケース
３０  断面略Ｌ字状のケース
３１  上部開口
３２  側面開口
３３  フランジ
【図１】
2008079763.tif 000003
【図２】
2008079763.tif 000004
【図３】
2008079763.tif 000005
【図４】
2008079763.tif 000006
【図５】
2008079763.tif 000007
【図６】
2008079763.tif 000008
【図７】
2008079763.tif 000009
【図８】
2008079763.tif 000010